【事件の表示】
　特願２０００−　　６４２３「反射型液晶表示装置及びその製造方法」拒絶査定不服審判事件〔平成１３年　７月１９日出願公開、特開２００１−１９４６６２〕について、次のとおり審決する。
【結　論】
　本件審判の請求は、成り立たない。
【理　由】
１．手続の経緯
　本願は、平成１２年１月１４日の出願であって、平成１４年７月３０日付で拒絶査定がなされ、これに対し、平成１４年９月５日付で拒絶査定に対する審判請求がなされ、平成１４年９月２７日付で特許法第１７条の２第１項第３号の規定による手続補正がなされたものである。
　
２．平成１４年９月２７日付の手続補正（以下、「本件補正」という。）について
［補正却下の決定の結論］
　平成１４年９月２７日付の手続補正を却下する。
［理由］
（１）補正の内容
　本件補正は、特許請求の範囲の請求項１を下記のように補正することを含むものである。
「【請求項１】透明な第一の基板と、この第一の基板上に設けられた透明電極と、第二の基板と、この第二の基板上に設けられたスイッチング素子と、このスイッチング素子上に設けられるとともに表面に凹凸構造が形成された絶縁膜と、この絶縁膜上に前記凹凸構造を反映させた形状で設けられるとともに前記スイッチング素子に接続された反射電極と、前記第一の基板の前記透明電極側と前記第二の基板の前記反射電極側とで挟み込まれた液晶層とを備えた反射型液晶表示装置において、
　前記絶縁膜は、前記スイッチング素子を当該スイッチング素子形成以降保護するとともに、膜厚の異なる領域が不規則に配置されたことにより前記凹凸構造が形成され、かつ同一材料からなる単層膜であ
り、前記凹凸構造は線状の平面形状からなる複数の突起部が不規則に配置されたものからなる、
　
　上記補正は、特許請求の範囲の減縮を目的とするものと認められるので、本件補正後の前記請求項１に記載された発明（以下、「本願補正発明」という。）が特許出願の際独立して特許を受けることができるものであるかについて検討する。
　
（２）刊行物記載の発明
　原査定の拒絶理由に引用した刊行物である特開平８−１０１３８３号公報（以下、「引用例」という。）には、図面とともに下記の記載が認められる。
「【発明の詳細な説明】【０００１】【産業上の利用分野】本発明は、入射光を反射することによって表示を行う反射型液晶表示装置およびその製造方法に関する。」
「【００１０】ところで、特開昭５６−９４３８６で矢沢悟らは、表示画面に垂直な方向へ散乱する光の強度を増加させる方法として、表面が凹凸形状を有する金属薄膜層を用いること、およびその製造方法を述べている。図６及び図７は、特開昭５６−９４３８６で述べられている金属薄膜層の種々の凹凸形状の例である。
【００１１】しかし、図８に示す如く、凹凸部の高さ（Ｈ）と周期（Ｌ）の相異により白色度は変化するため、これらのファクターは十分制御する必要がある。・・・
【００２４】反射光を制御する指向性を有する反射板を、ａ−Ｓｉ・ＴＦＴやＭＩＭをスイッチング素子に用いたアクティブマトリクス型液晶表示装置に低温で形成するには、矢沢悟等が特開昭５６−１５６８６４で示している方法がある。つまり、基板表面にＣＶＤＳｉＯ２を三角波形状に形成してからアルミニウムを蒸着し、図１３に示すような、正弦波形状に近い断面を持ち、平均傾き角度（θ）が５°〜３０°である反射板を形成する方法がある。また、矢沢悟らは、特開昭５６−１５６８６５でもアルミニウムやアルミニウム合金を加熱処理あるいはその後にエッチングして得られる反射板を用いた液晶表示装置の表示特性は劣るため、ＣＶＤにより形成したＳｉＯ２を三角波形状にテーパーエッチングしてからアルミニウムを蒸着し、図１４に示す凹凸を有する反射板を形成している。また、出願Ｎｏ．０３−２３０６０８で中村久和等は、一方の基板上の液晶層側に感光性樹脂を塗布し、この感光性樹脂を円形の遮光領域が配列された遮光手段を介して露光及び現像をした後に熱処理を行い、得られた複数の凸部の上に前記複数の凸部に沿う絶縁膜を形成し、絶縁膜上に金属薄膜から成る反射板を形成している。・・・
【００３０】本発明の反射型液晶表示装置の製造方法は、電極を各々有する一対の基板間に液晶が挟持され、該一対の基板のどちらか一方の電極がアルミニウムまたはアルミニウムを主成分とする金属薄膜よりなる反射電極であり、該反射電極が基板上の一部に形成された凹凸部分の上に形成され、該反射電極の上に、厚みが５ｎｍ以上１０ｎｍ以下の反射電極の表面酸化膜を間に介装して絶縁性を有する垂直配向膜が形成されている反射型液晶表示装置の製造方法であって、該一方の基板上に形成されたアルミニウムまたはアルミニウムを主成分とする金属薄膜を所定の形状にパターニングし反射電極を形成する工程と、該反射電極の表面を酸化処理して該表面酸化膜を得る工程と、少なくとも該表面酸化膜の上に垂直配向膜を形成して該垂直配向膜に加熱硬化処理を行う工程とを含み、そのことにより上記目的が達成される。・・・
【００３９】【実施例】以下、本発明を実施例に基づいて具体的に説明する。
【００４０】図１は、本発明の一実施例である反射型液晶表示装置を示す断面図であり、図２は図１の反射型液晶表示装置を構成する下側のＴＦＴ基板の平面図である。この反射型液晶表示装置は、液晶層４９を間に挟んで一方（下側）にＴＦＴを有するＴＦＴ基板が、他方（上側）に対向基板が設けられている。先ず、下側のＴＦＴ基板の構成について述べる。ガラスなどの絶縁性の基板３１上に、クロム、タンタルなどからなる複数のゲートバス配線３２が互いに平行に設けられ、各ゲートバス配線３２からはゲート電極３３が分岐して設けられている。ゲートバス配線３２は、走査線として機能している。・・・
【００４３】ＴＦＴ４０が形成された基板３１上の全面に、有機絶縁膜４２が形成されており、この有機絶縁膜４２の反射電極３８が形成される領域には、先細状で先端部の断面形状が円形の凸部４２ａが高さＨで形成されている。また、有機絶縁膜４２のドレイン電極３７部分にはコンタクトホール４３が形成されている。
【００４４】上記ドレイン電極３７の半導体層３５と反対側の端部には、アルミニウムからなる反射電極３８が重畳形成されている。この反射電極３８の一部は、上記コンタクトホール４３に充填されてドレイン電極３７に電気的に接続されている。・・・
【００４５】次に、上側の対向基板の構成について述べる。基板４５上には、カラーフィルタ４６が形成されている。カラーフィルタ４６の基板３１の反射電極３８に対向する位置にはマゼンタまたは緑のフィルタ４６ａが形成され、反射電極３８に対向しない位置にはブラックのフィルタ４６ｂが形成されている。カラーフィルタ４６上の全面にはＩＴＯ等から成る透明な対向電極４７、さらにその上には配向膜４８が形成されている。
【００４６】このように構成されたＴＦＴ基板と対向基板とは、反射電極３８とフィルタ４６ａとが一致するように対向して貼り合わせられ、間に液晶４９が注入されている。これにより、反射型液晶表示装置３０が構成される。
【００４７】次に、かかる構成の反射型液晶表示装置の製造方法について説明する。
【００４８】先ず、基板３１上に、ゲート電極３３、ゲート絶縁膜３４、半導体層３５、ソース電極３６およびドレイン電極３７を所定の順序で形成する。これにより、ＴＦＴ４０が形成される。
【００４９】次に、ＴＦＴ４０が形成された基板３１上の全面に、有機絶縁膜４２を形成する。
【００５０】次に、有機絶縁膜４２の反射電極３８が形成される領域に、先細状で先端部の断面形状が円形の凸部４２ａを高さＨで形成する。また、有機絶縁膜４２のドレイン電極３７部分に、コンタクトホール４３を形成する。上記高さＨは、有機絶縁膜４２の形成方法や、これにコンタクトホール４３を形成する工程上の問題を考慮し、更に、液晶表示装置３０を作製する際のセル厚のばらつきを小さくすべく、１０μｍ以下が好ましい。
【００５１】次に、有機絶縁膜４２の円形の凸部４２ａが形成された領域上に、アルミニウムからなる反射電極３８を形成する。このとき、反射電極３８は、コンタクトホール４３においてドレイン電極３７と接続されるようにする。」
　図３には、反射電極３８に規則性のないパターンが形成されていることがみてとれる。
　
（３）対比
　引用例の実施例に記載のもの（以下、「引用発明」という。）と本願補正発明とを対比する。
（イ）引用例の実施例の記載事項から見て、引用発明が、本願補正発明の「透明な第一の基板と、この第一の基板上に設けられた透明電極と、第二の基板と、この第二の基板上に設けられたスイッチング素子と、このスイッチング素子上に設けられるとともに表面に凹凸構造が形成された絶縁膜と、この絶縁膜上に前記凹凸構造を反映させた形状で設けられるとともに前記スイッチング素子に接続された反射電極と、前記第一の基板の前記透明電極側と前記第二の基板の前記反射電極側とで挟み込まれた液晶層とを備えた反射型液晶表示装置」に相当する技術的事項を有することは明らかである。
（ロ）引用例には、「【００４８】先ず、基板３１上に、ゲート電極３３、ゲート絶縁膜３４、半導体層３５、ソース電極３６およびドレイン電極３７を所定の順序で形成する。これにより、ＴＦＴ４０が形成される。
【００４９】次に、
ＴＦＴ４０が形成された基板３１上の全面に、有機絶縁膜４２を形成する。
凸部４２ａを高さＨで
【００５１】・・・反射電極３８は、コンタクトホール４３においてドレイン電極３７と接続されるようにする。」と記載されていることから、引用発明の「有機絶縁膜４２」が、本願補正発明の「絶縁膜」と同様に、「前記スイッチング素子を当該スイッチング素子形成以降保護するとともに、膜厚の異なる領域が不規則に配置されたことにより前記凹凸構造が形成され、かつ同一材料からなる単層膜」との機能を有するものであって、この点で引用発明の「有機絶縁膜４２」は本願補正発明の「絶縁膜」に相当する。
　よって、両者は、
「透明な第一の基板と、この第一の基板上に設けられた透明電極と、第二の基板と、この第二の基板上に設けられたスイッチング素子と、このスイッチング素子上に設けられるとともに表面に凹凸構造が形成された絶縁膜と、この絶縁膜上に前記凹凸構造を反映させた形状で設けられるとともに前記スイッチング素子に接続された反射電極と、前記第一の基板の前記透明電極側と前記第二の基板の前記反射電極側とで挟み込まれた液晶層とを備えた反射型液晶表示装置において、前記絶縁膜は、前記スイッチング素子を当該スイッチング素子形成以降保護するとともに、膜厚の異なる領域が不規則に配置されたことにより前記凹凸構造が形成され、かつ同一材料からなる単層膜である反射型液晶表示装置」である点で一致し、次の点で相違する。
　
相違点：
　本願補正発明は、「前記凹凸構造は線状の平面形状からなる複数の突起部が不規則に配置されたもの」からなるのに対して、引用例の実施例においては、上記の構成が明記されていない点。
　
（４）判断
　上記相違点につき検討するに、「線状の平面形状からなる複数の突起部が不規則に配置された」凹凸構造は、前置審査において周知技術として引用した特開昭５７−８５７８号公報（特に第３図（ｂ）及び第３頁左上欄１５〜１７行「第３図（ｂ）は、・・・断面形状が三角波に近い形状を有するもので、この場合も各山から山までの間隔・・・は不均一にしてある。」参照。第３図（ｂ）には、本願補正発明と同様の形状の凹凸構造がみてとれる。）に記載されており、該周知技術を、引用例の従来技術（図１３）との類似性を勘案して、上記引用例の実施例に記載の事項に適用することにより、相違点を含む本願補正発明の技術的事項とすることは当業者が容易になし得る程度のことであるから、本願補正発明は、特許法第２９条第２項の規定により、独立して特許を受けることができないものである。
　
　そして、本願補正発明が奏する効果は、引用発明及び周知技術から予想し得る程度のものである。
　
　なお、請求人は、審尋に対する回答書において、凹凸構造を「同一線幅」からなるものに限定する旨案を提示しているが、この点は引用例の図６〜８に見られるように格別のことではないから、上記回答書をみても、本願補正発明は、依然として独立して特許を受けることができないものである。
　
（５）むすび
　以上のとおり、本件補正は、特許法第１７条の２第４項の規定に違反するものであるから、特許法第１５９条第１項で準用する特許法第５３条第１項の規定により却下されるべきものである。
　
３．本願発明について
（１）本願発明
　平成１４年９月２７日付の手続補正は上記のとおり却下されたので、本願の請求項に係る発明は、平成１４年７月１０日付手続補正書により補正された明細書及び図面の記載からみて、その特許請求の範囲の請求項に記載されたとおりのものと認められるところ、請求項１に記載された発明は次のものである。
「【請求項１】透明な第一の基板と、この第一の基板上に設けられた透明電極と、第二の基板と、この第二の基板上に設けられたスイッチング素子と、このスイッチング素子上に設けられるとともに表面に凹凸構造が形成された絶縁膜と、この絶縁膜上に前記凹凸構造を反映させた形状で設けられるとともに前記スイッチング素子に接続された反射電極と、前記第一の基板の前記透明電極側と前記第二の基板の前記反射電極側とで挟み込まれた液晶層とを備えた反射型液晶表示装置において、
　前記絶縁膜は、前記スイッチング素子を当該スイッチング素子形成以降保護するとともに、膜厚の異なる領域が不規則に配置されたことにより前記凹凸構造が形成され、かつ同一材料からなる単層膜である、
　ことを特徴とする反射型液晶表示装置。」（以下、「本願発明」という。）
　
（２）引用例記載の発明
　原査定の拒絶の理由に引用した、この出願前公知の刊行物である特開平８−１０１３８３号公報（以下、「引用例」という。）には、上記２．（２）刊行物記載の発明に摘記した事項が記載されている。
　
（３）対比・判断
　本願発明は、本願補正発明の「
前記凹凸構造は線状の平面形状からなる複数の突起部が不規則に配置されたものからなる、
　
（４）むすび
　以上のとおり、本願発明は、引用発明及び周知技術に基づいて当業者が容易に発明をすることができたものであるから、特許法第２９条第２項の規定により特許を受けることができない。
　よって、結論のとおり審決する。